【事件の表示】
　特願２０１３−　２６９５６「容器」拒絶査定不服審判事件〔平成２５年　５月２３日出願公開、特開２０１３−　９９７５０〕について、次のとおり審決する。
【結　論】
　本件審判の請求は、成り立たない。
【理　由】
第１　手続の経緯
　本件出願は、平成２２年１２月２日に請求人により出願された実願２０１０−７８７７号（以下、「原出願」という。）に係る実用新案登録第３１６５９６７号（登録日：平成２３年１月１９日）に基づいて、特許法第４６条の２第１項の規定により、平成２５年２月１４日にされた特許出願であって、平成２６年３月１３日付けで拒絶理由が通知され、これに対して平成２６年５月１日に意見書及び手続補正書が提出されたが、平成２６年１２月１１日付けで拒絶査定がされ、これに対して平成２７年４月１日に拒絶査定不服審判が請求されると同時に明細書及び特許請求の範囲について補正する手続補正書が提出され、平成２７年５月１１日に審判請求書における請求の理由について補正する手続補正書が提出されたものである。
第２　平成２７年４月１日付けの手続補正についての補正の却下の決定
［補正の却下の決定の結論］
　平成２７年４月１日付けの手続補正を却下する。
［理由］
〔１〕本件補正の内容
　平成２７年４月１日付けの手続補正（以下、「本件補正」という。）は、特許請求の範囲に関して、本件補正により補正される前の（すなわち、平成２６年５月１日に提出された手続補正書により補正された）下記の（Ａ）に示す請求項１ないし１０を、下記の（Ｂ）に示す請求項１ないし９と補正するものである。
（Ａ）本件補正前の特許請求の範囲の請求項１及び２
「　【請求項１】
　液体を入れることができる内容器であって、
　前記内容器が、開口部と前記開口部の周りにある縁部とを有する上部と、前記内容器の底に位置する底部と、側部とを備え、
　前記側部に少なくとも１つの突起部を有し、
　前記開口部が他の前記内容器を重ねることができるような広さを有し、
　前記液体が塗料であり、
　前記少なくとも１つの突起部が、塗料を塗るものに付いた塗料の量を調整するために使用される内容器。
　　【請求項２】
　前記内容器の材質が半透明の樹脂である、請求項１に記載の内容器。
　　【請求項３】
　前記内容器が金型で樹脂を１回プレスすることにより作られる、請求項１または２に記載の内容器。
　　【請求項４】
　前記内容器を塗料バケットに配置した場合、前記縁部が前記内容器を引き上げるために使用され得る、請求項１〜３のうちの１つに記載の内容器。
　　【請求項５】
　前記上部が塗料バケットから前記内容器を引き上げるための取手部を有している、請求項１〜４のうちの１つに記載の内容器。
　　【請求項６】
　前記少なくとも１つの突起部が、上または下で屈曲したひと連なりの線状である、請求項１〜５のうちの１つに記載の内容器。
　　【請求項７】
　前記少なくとも１つの突起部が線状であり、前記底部と略平行となる、請求項１〜５のうちの１つに記載の内容器。
　　【請求項８】
　前記少なくとも１つの突起部が第１の突起部と第２の突起部を有し、前記第１の突起部と前記第２の突起部とを前記側面と底部とで作られる辺に投影した場合に、それらの投影部が少なくとも一部重なっている、請求項１〜５のうちの１つに記載の内容器。
　　【請求項９】
　前記少なくとも１つの突起部が第１の突起部と第２の突起部を有し、前記第１の突起部と前記第２の突起部とを、それらを有する側面の開口部から底部に延びている辺に投影させた場合、それらの投影部が少なくとも一部重なっている、請求項１〜５のうちの１つに記載の内容器。
　　【請求項１０】
　前記少なくとも１つの突起部が、複数の屈曲したひと連なりの線状である、請求項１〜５のうちの１つに記載の内容器。」
（Ｂ）本件補正後の特許請求の範囲の請求項１ないし９
「　【請求項１】
　液体を入れることができる内容器であって、
　前記内容器が、開口部と前記開口部の周りにある縁部とを有する上部と、前記内容器の底に位置する底部と、側部とを備え、
　前記側部に少なくとも１つの突起部を有し、
　前記開口部が他の前記内容器を重ねることができるような広さを有し、
　前記液体が塗料であり、
　前記少なくとも１つの突起部は、
その上をローラが転がることにより前記ローラ
　
前記内容器は金型で樹脂をプレスすることにより作られる
　　【請求項２】
　前記内容器の材質が半透明の樹脂である、請求項１に記載の内容器。
　　【請求項３】
　前記内容器を塗料バケットに配置した場合、前記縁部が前記内容器を引き上げるために使用され得る、請求項１
または２
　　【請求項４】
　前記上部が塗料バケットから前記内容器を引き上げるための取手部を有している、請求項１〜
３
　　【請求項５】
　前記少なくとも１つの突起部が、上または下で屈曲したひと連なりの線状である、請求項１〜
４
　　【請求項６】
　前記少なくとも１つの突起部が線状であり、前記底部と略平行となる、請求項１〜
４
　　【請求項７】
　前記少なくとも１つの突起部が第１の突起部と第２の突起部を有し、前記第１の突起部と前記第２の突起部とを前記側面と底部とで作られる辺に投影した場合に、それらの投影部が少なくとも一部重なっている、請求項１〜
４
　　【請求項８】
　前記少なくとも１つの突起部が第１の突起部と第２の突起部を有し、前記第１の突起部と前記第２の突起部とを、それらを有する側面の開口部から底部に延びている辺に投影させた場合、それらの投影部が少なくとも一部重なっている、請求項１〜
４
　　【請求項９】
　前記少なくとも１つの突起部が、複数の屈曲したひと連なりの線状である、請求項１〜
４
（なお、下線は、請求人が補正箇所を明示するために付したものである。）
〔２〕本件補正の目的要件について
　本件補正は、本件補正前の請求項１における「前記少なくとも１つの突起部が、塗料を塗るものに付いた塗料の量を調整するために使用され」という記載を、「前記少なくとも１つの突起部は、
その上をローラが転がることにより前記ローラ
　また、本件補正は、本件補正前の請求項１における「内容器」という記載を、「
前記内容器は金型で樹脂をプレスすることにより作られる
　よって、特許請求の範囲の請求項１についての本件補正は、本件補正前の特許請求の範囲の請求項１に係る発明の発明特定事項を限定したものであって、本件補正前の請求項１に記載された発明と本件補正後の請求項１に記載される発明の産業上の利用分野及び解決しようとする課題が同一であるから、本件補正は、特許法第１７条の２第５項第２号に規定する特許請求の範囲の減縮を目的とするものに該当する。
　そこで、本件補正によって補正された特許請求の範囲の請求項１に係る発明（以下、「本願補正発明」という。）が特許出願の際に独立して特許を受けることができるものであるか（特許法第１７条の２第６項において準用する同法第１２６条第７項の規定に適合するか）について、以下に検討する。
〔３〕本願補正発明の独立特許要件について
１．本願補正発明
　本願補正発明は、平成２６年５月１日に提出された手続補正書により補正された特許請求の範囲の請求項１に記載された事項により特定されるものであるところ、上記〔１〕（Ｂ）の【請求項１】に示したとおりのものである。
２．引用刊行物
（１）引用刊行物の記載事項
　原査定の拒絶の理由に引用された刊行物であって、本件出願の原出願前に頒布された刊行物である特開２００４−３４４７９９号公報（以下、「刊行物１」という。）には、図面とともに次の事項が記載されている。
ａ）「【請求項１】
容器本体内に、傾斜面を一体形成するとともに、この傾斜面は、容器本体の底面に連続する塗料馴染ませ部と、この塗料馴染ませ部から容器本体の縁まで連続する塗料絞り部とからなることを特徴とするローラ用バケット。
【請求項２】
塗料馴染ませ部の断面形状を円弧にし、塗料絞り部の断面形状を直線的にしたことを特徴とする請求項１記載のローラ用バケット。
【請求項３】
塗料馴染ませ部の表面に、幅方向に凸部を形成したことを特徴とする請求項１または２記載のローラ用バケット。
【請求項４】
塗料馴絞り部の表面に、複数の突起を設けたことを特徴とする請求項１〜３のいずれか１に記載のローラ用バケット。
【請求項５】
容器本体に脚部を形成するとともに、この脚部には、その上部を開口させた凹部を形成したことを特徴とする請求項１〜４のいずれか１に記載のローラ用バケット。」（【特許請求の範囲】の【請求項１】ないし【請求項５】）
ｂ）「【０００１】
【発明の属する技術分野】
この発明は、塗装用ローラを用いて塗装するときに、塗料を入れておくローラ用バケットに関する。
【０００２】
【従来の技術】
塗装用ローラを用いて塗装するときに、塗料を入れておくローラ用バケットとして、特許文献１に記載されたものが従来から知られている。
この従来のバケットは、図９に示すように、塗料を入れる容器本体１と、網目３を有するプレート２とによって構成されている。
上記プレート２は、ローラの刷毛部に含ませる塗料の量を調節するためのものである。また、このプレート２は、容器本体１と別体になっていて、その上部を容器本体１の縁４に引っかけることによって、容器本体１の底面に対して傾斜させている。そして、このようにしたプレート２の上で、ローラの刷毛部を転がすことによって、刷毛部に含ませた余分な塗料を下に落とすようにしている。
【０００３】
【特許文献１】
特開平８−１３３３５１号公報
【０００４】
【発明が解決しようとする課題】
上記従来のバケットは、ローラの刷毛部に含ませた塗料の量を、プレート２によって調節可能にしているが、このプレート２を利用しても、刷毛部全体に塗料を均一に馴染ませることが難しかった。すなわち、刷毛部全体に塗料を均一に馴染ませるためには、刷毛部を転がしながら塗料に浸すとよい。しかし、刷毛部にに塗料を含ませると、その部分が重くなるために、刷毛部が回りにくくなる。刷毛部が回りにくくなると、プレート２上で刷毛部を回転させにくくなる。そのため、刷毛部を十分に転がしながら塗料に浸すことができなくなり、刷毛部全体に塗料を均一に馴染ませることが難しくなる。
【０００５】
以上のように、刷毛部全体に塗料を均一に馴染ませるという作業が、難しいにもかかわらず、刷毛部表面に塗料が付着していると、塗料が均一に馴染んでいるものと思いこんでしまう。そして、そのまま塗装すると、塗装面に塗りむらが生じるという問題があった。このような問題は、素人が塗装する場合に特に生じやすかった。
【０００６】
また、上記従来例では、プレート２上でローラの刷毛部を転がすと、この刷毛部の表面に、プレート２の網目３の跡が付いてしまう。そして、そのまま塗装すると、塗装面に網目３の跡が転写されてしまうという問題もあった。
【０００７】
さらに、上記従来のバケットは、プレート２を固定したまま容器本体１を重ね合わせると、嵩張ってしまうため、輸送効率が低下するという問題もあった。
そこで、従来は、輸送効率の低下を防止するため、容器本体１とプレート２とを別々にして、容器本体１は容器本体だけで重ね合わせ、プレート２はプレート２だけで重ね合わせて工場から出荷するようにしていた。
【０００８】
ところが、容器本体１とプレート２とを別々に重ね合わせて出荷すると、容器本体１とプレート２とが一組の商品であることがわかりにくいため、これら容器本体１とプレート２とが必ずしも一組で販売されないことがある。例えば、販売店においても、陳列スペースを少なくするために、容器本体１だけを複数重ね合わせておいて、一番上の容器本体１内に、プレート２を複数まとめて入れておくことがある。このような状態でバケットが陳列されていると、１つの容器本体１に対して複数枚のプレート２が付属されているものと購入者が勘違いしてしまい、そのことに店員も気づないまま、バケットを販売してしまうと、最終的にプレート２が足りなくなるという問題もあった。そして、このようにプレート２が不足すると、この不足分を製造メーカーが無償で提供しなければならない場合もあり、それが製造メーカにとって負担になるという不都合もあった。
【０００９】
この発明の目的は、上記種々の問題を解決することのできるローラ用バケットを提供することである。」（段落【０００１】ないし【０００９】）
ｃ）「【００１５】
【発明の実施の形態】
図１〜図８に、この発明の一実施形態を示す。
図１及び図２に示すように、容器本体Ａ内には、傾斜面Ｂを一体形成している。この傾斜面Ｂは、図３に示すように、容器本体Ａの底面５に連続する塗料馴染ませ部６と、この塗料馴染ませ部６から容器本体Ａの縁８まで連続させた塗料絞り部７とによって構成されている。
上記塗料馴染ませ部６は、その断面形状を円弧にするとともに、その表面に複数の凸部９を幅方向に形成している。また、上記塗料絞り部７は、その断面形状を直線的にするとともに、その表面に複数の突起１０を全体的に形成している。なお、これら突起１０の先端は、曲面にしている。
【００１６】
また、上記傾斜面Ｂの両側には、凹部１１，１１を形成している。これら凹部１１，１１は、容器本体Ａに設けた脚部１２，１２の部分に形成したものであり、脚部１２，１２の上部が凹部１１，１１によって開口した状態になっている。そして、これら凹部１１，１１には、塗装用の刷毛を収納できるようにしている。
上記脚部１２，１２の底には、取り外し可能なキャップ１３，１３を設けている。このキャップ１３，１３を取り外すことによって、凹部１１，１１の内部が簡単に清掃できるようにしている。
なお、図１に示すように、容器本体Ａの縁８は、窪み１４を形成しているが、この窪み１４は、図３に示すように、塗装用ローラＲのグリップ２１の部分を容器本体Ａの縁８に引っかけたときに、塗装用ローラＲのロッド２０をはめるためのものである。このように窪み１４にロッド２０をはめることによって、塗装用ローラＲがずれないようにしている。
【００１７】
次に、塗装用ローラの刷毛部に塗料を含ませるときの手順について説明する。
まず、図４に示すように、容器本体Ａ内に塗料を入れと、その塗料は、容器本体Ａの最も深い底部５に溜まる。
次に、この塗料の溜まった部分（以下「塗料溜まりＰ」という）に、ローラＲの刷毛部１９を浸す。このように塗料溜まり刷毛部１９を浸すと、この浸した部分に塗料がしみこむ。ただし、塗料に浸していない上側部分には、塗料がなかなかしみ込まない。そこで、図５に示すように、傾斜面Ｂに沿って刷毛部１９を引き上げる。
【００１８】
傾斜面Ｂに沿って刷毛部１９を引き上げると、この引き上げ方向に対して、断面形状を円弧にした塗料馴染ませ部６が交差した状態になる。そのため、引き上げ動作によって、刷毛部１９が塗料馴染ませ部６に押しつけられた状態になる。しかも、この塗料馴染ませ部６には、複数の凸部９が幅方向に形成されているので、各凸部９の段差の部分に刷毛部１９が引っかかる。したがって、刷毛部１９の引き上げ動作に伴って、刷毛部１９が矢印方向に回転することになる。
このように刷毛部１９を回転させて、塗料がしみ込んでいない部分を下側に向けた後、刷毛部１９を塗料溜まりＰに再び浸す。このようにすれば、刷毛部１９の残りの部分にも、塗料をしみ込ませることができる。そして、このような作業を数回繰り返すことによって、刷毛部１０全体に塗料を馴染ませていく。
【００１９】
刷毛部１９全体に塗料を馴染ませたら、傾斜面Ｂに沿ってさらに刷毛部１９をさらに引き上げて、図６に示すように、塗料絞り部７の上でローラＲを往復移動させる。このようにすると、塗料絞り部７に設けた複数の突起１０が、ローラＲの表面に食い込むために、刷毛部１９が塗料絞り部７の上で回転する。そして、このように塗料絞り部７の上で刷毛部１９を転がすことによって、刷毛部１９に含まれている余分な塗料を排出する。
以上のようにすれば、刷毛部１９全体に適量な塗料を均一に含ませた状態にすることができる。
【００２０】
この実施形態によれば、傾斜面Ｂに沿って刷毛部１９を動かすだけで、刷毛部１９全体に塗料を均一に馴染ませることができる。そのため、素人が塗装する場合であっても、塗装面の塗りむらが生じにくい。
また、塗料絞り部７に設けた突起１０の先端が曲面になっているので、刷毛部１９の表面に、ほとんど跡がつかない。また、跡がついたとしても、それはごく小さいものなので、塗装面において突起１０の跡が目立つことはない。
さらに、上記突起１０は、他の突起１０と十分な間隔を開けて配置しているので、刷毛部１９から排出された塗料を、傾斜面Ｂに沿って素早く塗料溜まりＰに戻すことができる。
【００２１】
さらにまた、この実施形態によれば、脚部１２の上部を開口させているので、図７に示すように、複数の容器本体Ａを重ね合わせるときに、上側の容器本体Ａの脚部１２，１２を、下側の容器本体Ａの凹部１１に差し込むことができる。このようにすれば、重ね合わせた容器本体Ａが嵩張ることがない。
また、塗料を馴染ませたり塗料の含み量を調節する傾斜面Ｂを、容器本体Ａと一体化しているので、販売店において、塗料の含み量を調節するプレートだけが足りなくなるといった不都合が生じない。
【００２２】
なお、この実施形態では、容器本体Ａに取っ手を付けていないが、図８に示すように、容器本体Ａに取っ手１５，１５を取り付けてもよい。これら取っ手１５，１５は、その握り１５ａの部分が傾斜面Ｂと平行、すなわち傾斜面Ｂの幅方向に配置されており、この握り１５ａを握って容器本体Ａを持ち上げると、塗料溜まりＰが容器本体Ａに対して偏った位置にあるために、図示するように容器本体Ａが傾く。このように容器本体Ａが傾くと、傾斜面Ｂ側に位置する取っ手１５によって形成される開口部の面積Ｓが大きくなる。作業員は、この開口部から塗装用ローラＲを容器本体Ａ内に出し入れするので、この開口部の面積Ｓが大きくなる分、塗装用ローラＲを出し入れしやすくなる。そして、このように塗装用ローラＲを出し入れしやすくなるので、作業効率もアップする。」（段落【００１５】ないし【００２２】）
ｄ）「【００２３】
【発明の効果】
第１の発明によれば、容器本体内に設けた塗料馴染ませ部によって、塗装用ローラの刷毛部を回転させることができるので、刷毛部全体に塗料を均一に馴染ませることができる。
【００２４】
第２の発明によれば、塗料馴染ませ部の断面形状を円弧にし、塗料絞り部の断面形状を直線的にしたので、塗料絞り部と平行に塗装用ローラを引き上げたときに、その引き上げ方向に対して塗料馴染ませ部が交差した状態になる。このように引き上げ方向に対して塗料馴染ませ部が交差すれば、塗料馴染ませ部に塗装用ローラの刷毛部を強く押しつけることができる。したがって、塗装用ローラの引き上げ動作によって、刷毛部を確実に回転させることができる。
【００２５】
第３の発明によれば、塗料馴染ませ部の表面に形成した凸部が、ローラの刷毛部に食い込むので、より確実に刷毛部を回転させることができる。
【００２６】
第４の発明によれば、塗料絞り部の表面に、複数の突起を設けたので、塗料絞り部の表面で、塗装用ローラの刷毛部が回転せずに滑ってしまうといった不都合を防止できる。
【００２７】
第５の発明は、塗料本体に脚部を形成するとともに、この脚部の上部を開口させたので、容器本体を重ね合わせたときに、下側の容器本体の開口部に、上側の容器本体の脚部を挿入することができる。したがって、重ね合わせた容器本体の嵩を少なく抑えることができる。」（段落【００２３】ないし【００２７】）
（２）上記（１）及び図面の記載から分かること
ａ）上記（１）ａ）ないしｄ）及び図１ないし８の記載によれば、引用刊行物には、ローラ用バケットの容器本体Ａが記載されている。
ｂ）上記（１）ｃ）及び図１ないし６の記載（特に、段落【００１７】ないし【００１９】及び図３ないし６の記載）によれば、ローラ用バケットの容器本体Ａに入れる塗料は、ローラ用バケットの容器本体Ａの底部５に溜まり、塗装用ローラＲの刷毛部にしみこむことから、液体であることが明らかである。
　よって、ローラ用バケットの容器本体Ａは、液体を入れることができるものであって、前記液体が塗料であることが分かる。
ｃ）上記（１）ｃ）及びｄ）並びに図１ないし６の記載（特に、段落【００１５】ないし【００１７】及び図１ないし６の記載）によれば、ローラ用バケットの容器本体Ａが、開口部と前記開口部の周りにある縁部８とを有する上部と、前記ローラ用バケットの容器本体Ａの底に位置する底部５と、側部とを備えることが分かる。
ｄ）上記（１）ｃ）及びｄ）並びに図１ないし６の記載（特に、段落【００１９】、【００２０】及び【００２６】並びに図１ないし６の記載）によれば、ローラ用バケットの容器本体Ａが、側部の傾斜面Ｂにおける塗料絞り部７に複数の突起１０を有すること、及び、複数の突起１０が、その複数の突起１０を設けた塗料絞り部７の上を塗装用ローラＲが転がることにより前記塗装用ローラＲの刷毛部１９に含まれている余分な塗料を排出するために使用されるものであることが分かる。
ｅ）上記（１）ｃ）及びｄ）並びに図１ないし７の記載（特に、段落【００１６】、【００２１】及び【００２７】並びに図１、２及び７の記載）によれば、ローラ用バケットの容器本体Ａが、開口部に他のローラ用バケットの容器本体Ａを挿入して重ねることができるような構造を有するものであることが分かる。
　なお、請求人は、平成２７年５月１１日に提出された審判請求書の請求の理由について補正する手続補正書の３．（４）（ｃ）において、引用刊行物における図面の記載を根拠として、引用刊行物に記載されたローラ用バケットの容器本体Ａは、重ね合わせることができない旨主張するが、引用刊行物における図面は、説明図であって、正確な寸法や角度までを特定することはできないから、請求人の上記主張を認めることができない。
（３）引用発明
　上記（１）及び（２）を総合して、本願補正発明の表現に倣って整理すると、引用刊行物には、次の事項からなる発明（以下「引用発明」という。）が記載されていると認める。
「液体を入れることができるローラ用バケットの容器本体Ａであって、
　前記ローラ用バケットの容器本体Ａが、開口部と前記開口部の周りにある縁部８とを有する上部と、前記ローラ用バケットの容器本体Ａの底に位置する底部５と、側部とを備え、
　前記側部の傾斜面Ｂにおける塗料絞り部７に複数の突起１０を設け、
　前記開口部に他の前記ローラ用バケットの容器本体Ａを挿入して重ねることができるような構造を有し、
　前記液体が塗料であり、
　前記複数の突起１０は、その複数の突起１０を設けた前記塗料絞り部７の上を塗装用ローラＲが転がることにより前記塗装用ローラＲの刷毛部１９に含まれている余分な塗料を排出するために使用されるローラ用バケットの容器本体Ａ。」
３．対比
　本願補正発明（以下、「前者」ともいう。）と引用発明（以下、「後者」ともいう。）とを、その機能、構造又は技術的意義を考慮して対比する。
・後者における「縁部８」は、前者における「縁部」に相当し、以下同様に、「上部」は「上部」に、「底部５」は「底部」に、「側部」又は「側部の傾斜面Ｂにおける塗料絞り部７」は「側部」に、「複数の突起１０」は「少なくとも１つの突起部」に、「設け」は「有し」に、それぞれ相当する。
・後者における「ローラ用バケットの容器本体Ａ」は、前者における「内容器」に、「容器」という限りにおいて、一致する。
・後者における「前記開口部に他の前記ローラ用バケットの容器本体Ａを挿入して重ねることができるような構造を有し」は、前者における「前記開口部が他の前記内容器を重ねることができるような広さを有し」に、「他の容器を重ねることができるような所定の構造を有し」という限りにおいて、一致する。
・後者において、「複数の突起１０」が、「塗装用ローラＲの刷毛部１９に含まれている余分な塗料を排出するために使用される」ことは、上記２．（１）ｂ）で摘記した引用刊行物の段落【０００２】における「また、このプレート２は、容器本体１と別体になっていて、その上部を容器本体１の縁４に引っかけることによって、容器本体１の底面に対して傾斜させている。そして、このようにしたプレート２の上で、ローラの刷毛部を転がすことによって、刷毛部に含ませた余分な塗料を下に落とすようにしている。」という記載及び段落【０００３】における「上記従来のバケットは、ローラの刷毛部に含ませた塗料の量を、プレート２によって調節可能にしている」という記載によれば、複数の突起１０（少なくとも１つの突起部）が、塗装用ローラＲの刷毛部１９（ローラ）に付いた塗料の量を調整するために使用されることといえる。
　よって、後者における「前記複数の突起１０は、その複数の突起１０を設けた前記塗料絞り部７の上を塗装用ローラＲが転がることにより前記塗装用ローラＲの刷毛部１９に含まれている余分な塗料を排出するために使用され」は、前者における「前記少なくとも１つの突起部は、その上をローラが転がることにより前記ローラに付いた塗料の量を調整するために使用され」に、「少なくとも１つの突起部は、ローラに付いた塗料の量を調整するために使用され」という限りにおいて、一致する。
　したがって、両者は、
「液体を入れることができる容器であって、
　前記容器が、開口部と前記開口部の周りにある縁部とを有する上部と、前記容器の底に位置する底部と、側部とを備え、
　前記側部に少なくとも１つの突起部を有し、
　他の容器を重ねることができるような所定の構造を有し、
　前記液体が塗料であり、
　前記少なくとも１つの突起部は、ローラに付いた塗料の量を調整するために使用される容器。」の点で一致し、以下の点で相違している。
［相違点１］
　容器に関し、本願補正発明においては、「内容器」であるのに対して、引用発明においては、「ローラ用バケットの容器本体Ａ」である点（以下、「相違点１」という。）。
［相違点２］
　他の容器を重ねることができるような所定の構造を有することに関し、本願補正発明においては、「開口部が他の内容器を重ねることができるような広さを有し」ているのに対して、引用発明においては、「開口部に他のローラ用バケットの容器本体Ａを挿入して重ねることができるような構造を有し」ている点（以下、「相違点２」という。）。
［相違点３］
　少なくとも１つの突起部は、ローラに付いた塗料の量を調整するために使用されることに関し、本願補正発明においては、「少なくとも１つの突起部は、その上をローラが転がることにより前記ローラに付いた塗料の量を調整するために使用され」るのに対して、引用発明においては、「複数の突起１０は、その複数の突起１０を設けた塗料絞り部７の上を塗装用ローラＲが転がることにより前記塗装用ローラＲの刷毛部１９に含まれている余分な塗料を排出するために使用される」点（以下、「相違点３」という。）。
［相違点４］
　本願補正発明においては、「内容器は金型で樹脂をプレスすることにより作られる」のに対して、引用発明においては、ローラ用バケットの容器本体Ａがどのようにして作られるのか明らかでない点（以下、「相違点４」という。）。
４．判断
　上記相違点について検討する。
［相違点１及び４について］
　塗料を入れる容器において、容器の本体とこれに着脱可能な樹脂製の内容器とで構成することは、本件出願の原出願前に周知の技術（以下、「周知技術１」という。必要であれば、特開２０１０−４６６３８号公報（段落【０００２】及び【０００３】並びに図５及び６）、実願昭４８−４７６７３号（実開昭４９−１４６２５３号）のマイクロフィルム（特に、明細書１ページ９行ないし３ページ１４行及び第１ないし３図）、実願平５−３１０５７号（実開平６−８３４００号）のＣＤ−ＲＯＭ（特に、段落【０００１】、【０００２】、【０００５】及び【０００６】並びに図１ないし４）、実用新案登録第３１３５４９４号公報（特に、段落【０００１】ないし【０００７】及び【０００９】ないし【００１１】並びに図１ないし６）及び特開平７−１１７４００号公報（特に、段落【０００８】ないし【００１３】及び【００２０】並びに図１ないし６及び１８ないし２０）を参照。）であり、この周知技術１によって、塗装作業に際して、多数の容器の本体を用意する必要がないことから、コストの削減を図ることが可能である。
　また、樹脂製の容器をプレス成形することは、本件出願の原出願前に周知の技術（以下、「周知技術２」という。必要であれば、特開平８−８０５６０号公報（特に、段落【０００２】）、特開平１１−４３１９０号公報（特に、段落【００２９】）及び実願平５−６７０６号（実開平６−５９０４１号）のＣＤ−ＲＯＭ（特に、段落【０００２】及び【０００３】）を参照。）であり、プレス成形は、樹脂製品の成形に通常用いられる射出成形に比べて金型の製作が容易であることから、周知技術２によってコストの削減を図ることが可能である。
　そうすると、引用発明においても、コストの削減は当業者がごく普通に考慮する課題であるから、引用発明において、周知技術１及び２を適用し、ローラ用バケットの容器本体Ａを容器の本体と内容器とで構成すると共に、内容器を金型で樹脂をプレスすることにより作られるものとし、上記相違点１及び２に係る本願補正発明の発明特定事項とすることは、当業者が容易になし得たことである。
［相違点２について］
　上記［相違点１について］の検討で示したように、引用発明において、周知技術１を適用すると、開口部に他の
内容器
　そうすると、引用発明において、周知技術１を適用することに伴い、上記相違点２に係る本願補正発明の発明特定事項とすることは、当業者が容易になし得たことである。
［相違点３について］
　引用発明において、「複数の突起１０は、その複数の突起１０を設けた塗料絞り部７の上を塗装用ローラＲが転がることにより前記塗装用ローラＲの刷毛部１９に含まれている余分な塗料を排出するために使用される」ところ、上記２．（１）ｃ）で摘記した引用刊行物の段落【００１９】における「刷毛部１９全体に塗料を馴染ませたら、傾斜面Ｂに沿ってさらに刷毛部１９をさらに引き上げて、図６に示すように、塗料絞り部７の上でローラＲを往復移動させる。このようにすると、塗料絞り部７に設けた複数の突起１０が、ローラＲの表面に食い込むために、刷毛部１９が塗料絞り部７の上で回転する。」という記載によれば、複数の突起１０が、塗装用ローラＲの表面に食い込むことによって塗装用ローラＲの刷毛部１９が回転するのであるから、複数の突起１０を設けた塗料絞り部７の上を塗装用ローラＲが転がる際に、複数の突起１０（少なくとも１つの突起部）の上をローラが転がることは明らかである。
　そして、本件出願の明細書の段落【００２６】における「本発明の本実施形態において突起部の形状は、上述した形状に限られない。図２（ａ）〜（ｄ）は、本発明の実施形態における容器の側面の一例を示す図である。」という記載によれば、本願補正発明における「少なくとも１つの突起部」は、その形態を限定するものではなく、引用発明の複数の突起１０の形態を含むものと解するのが自然である。
　そうすると、上記相違点３は、実質的な相違点ではない。
　仮に、本願補正発明における「少なくとも１つの突起部」を、本件出願の図１ないし３に示すような線状のものであると限定的に解するとしても、ローラから余分な塗料を排出するために、少なくとも１つの線状の突起を設けることは、本件出願の原出願前に周知の技術（以下、「周知技術３」という。必要であれば、特開平１１−３１９６８８号公報（特に、段落【００１４】ないし【００１７】及び図１ないし７）、実用新案登録第３０３７１９２号公報（特に、段落【００１０】、【００１２】及び【００１７】並びに図１及び２）及び実願昭５４−８８５７１号（実願昭５６−６７６５号）のマイクロフィルム（明細書２ページ７ないし２０行及び第１ないし３図）を参照。）であるから、引用発明において、周知技術３を適用することにより、上記相違点３に係る本願補正発明の発明特定事項とすることは、当業者が容易になし得たことである。
　そして、本願補正発明は、全体としてみても、引用発明並びに周知技術１及び２から、又は、引用発明及び周知技術１ないし３から予測される以上の格別な効果を奏するものではない。
　したがって、本願補正発明は、引用発明並びに周知技術１及び２に基づいて、又は、引用発明及び周知技術１ないし３に基づいて、当業者が容易に発明をすることができたものであるから、特許法第２９条第２項の規定により特許出願の際独立して特許を受けることができないものである。
〔４〕むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、［補正の却下の決定の結論］のとおり決定する。
第３　本願発明について
１．本願発明
　本件補正は上記のとおり却下されたので、本件出願の請求項１に係る発明（以下、同項記載の発明を「本願発明」という。）は、平成２６年５月１日に提出された手続補正書により補正された明細書、特許請求の範囲及び出願当初の図面の記載からみて、特許請求の範囲の請求項１に記載された事項により特定されるものであるところ、前記第２［理由］〔１〕（Ａ）の【請求項１】に示したとおりのものである。
２．刊行物
　原査定の拒絶の理由に引用された引用刊行物及びその記載事項、並びに、引用発明は、前記第２［理由］〔３〕２．に記載したとおりである。
３．対比・判断
　本願発明は、前記第２［理由］〔３〕で検討した本願補正発明において、「前記少なくとも１つの突起部は、
その上をローラが転がることにより前記ローラ
前記内容器は金型で樹脂をプレスすることにより作られる
　そして、本願発明の発明特定事項を全て含む本願補正発明が、上記第２［理由］〔３〕に記載したとおり、引用発明並びに周知技術１及び２に基づいて、又は、引用発明及び周知技術１ないし３に基づいて、当業者が容易に発明をすることができたものであるところ、本願発明と引用発明とを対比すると、両者は実質的に、上記第２［理由］〔３〕３．対比で示した相違点１及び２の点でのみ相違するのであるから、本願発明は、引用発明及び周知技術１に基いて当業者が容易に発明をすることができたものである。
４．むすび
　以上のとおり、本願発明は、特許法第２９条第２項の規定により特許を受けることができないから、本件出願は拒絶すべきものである。
　よって、結論のとおり審決する。